(57)【特許請求の範囲】
【請求項１】
受信機に対して複数の信号線を介して接続されている受信装置であって、
火災を報知するために第１火災報知端末が送信する第１火災信号であって前記第１火災報知端末を一意に識別するための第１識別情報を含む第１火災信号、又は、火災を報知するために前記第１火災報知端末とは異なる第２火災報知端末が送信する第２火災信号であって前記第２火災報知端末を一意に識別するための第２識別情報を含む第２火災信号を無線にて受信する無線受信手段と、
前記無線受信手段が前記第１火災信号を無線にて受信した場合に、受信した前記第１火災信号に含まれている前記第１識別情報を取得し、前記無線受信手段が前記第２火災信号を無線にて受信した場合に、受信した前記第２火災信号に含まれている前記第２識別情報を取得する識別情報取得手段と、
前記第１識別情報を前記識別情報取得手段が取得した場合、前記第１火災信号の移報を前記受信機に対して行うべく、前記複数の信号線の接続状態を第１接続状態とし、前記第２識別情報を前記識別情報取得手段が取得した場合、前記第２火災信号の移報を前記受信機に対して行うべく、前記複数の信号線の接続状態を前記第１接続状態とは異なる第２接続状態とする制御手段と、を備える、
受信装置。
【請求項２】
前記制御手段は、前記第１火災信号のみを前記無線受信手段が受信した場合において、前記第１識別情報のみを前記識別情報取得手段が取得した場合、前記複数の信号線の接続状態を前記第１接続状態とし、この後、前記第１火災信号を前記無線受信手段が受信し続けている間において更に前記第２火災信号を前記無線受信手段が受信した場合において、前記第２識別情報を前記識別情報取得手段が取得した場合、前記複数の信号線の接続状態を前記第１接続状態に替えて前記第２接続状態とする、
請求項１に記載の受信装置。
【請求項３】
前記無線受信手段は、火災からの復旧を報知するために前記第２火災報知端末が送信する火災復旧信号であって前記第２識別情報を含む火災復旧信号を更に受信し、
前記識別情報取得手段は、前記無線受信手段が前記火災復旧信号を無線にて受信した場合に、受信した前記火災復旧信号に含まれている前記第２識別情報を取得し、
前記制御手段は、前記第１火災信号を前記無線受信手段が受信し続けている間において更に前記第２火災信号を前記無線受信手段が受信した後であって、前記第１火災信号を前記無線受信手段が未だ受信し続けている間に、前記火災復旧信号を前記第２火災信号に替えて前記無線受信手段が受信した場合において、前記第２識別情報を前記識別情報取得手段が取得した場合、前記複数の信号線の接続状態を前記第２接続状態に替えて前記第１接続状態とする、
請求項２に記載の受信装置。
【請求項４】
前記複数の信号線は、第１〜第３信号線を有し、
前記第１接続状態は、前記第１信号線と前記第２信号線とが短絡しており、且つ、前記第３信号線と前記第１及び第２信号線とが開放されている接続状態であり、
前記第２接続状態は、前記第１信号線と前記第２信号線とが短絡しており、且つ、前記第２信号線と前記第３信号線とが短絡している接続状態である、
請求項２又は３に記載の受信装置。
【発明の詳細な説明】
【技術分野】
【０００１】
本発明は、受信装置に関する。
【背景技術】
【０００２】
従来から、様々な種類の端末機器を用いて火災発生を報知する防災システムが利用されている。図１２は、従来の防災システム１０１の概略図である。図１２に示すように、この防災システム１０１は、建物の各階層において、火災が検知された場合に火災を報知する火災信号を送信する有線式感知器１１０及び無線式感知器１２０と、押しボタンが操作された場合に火災信号を送信する発信機１３０と、無線式感知器１２０から受信した火災信号を受信機１５０に中継する受信装置１４０と、受信装置１４０から信号線１０２を介して火災信号を受信する受信機１５０とを備えて構成されている。また、この信号線１０２は、Ａ線１０２ａ、Ｃ線１０２ｂ、及びＬ線１０２ｃを含んで構成されている。Ａ線１０２ａは、発信機１３０と受信装置１４０とを相互に接続し、受信装置１４０と受信機１５０とを相互に接続している。また、Ａ線１０２ａは、建物の各階層毎に設けられた発信機１３０に渡り接続されている。一方、Ｃ線１０２ｂ及びＬ線１０２ｃは、発信機１３０と有線式感知器１１０とを相互に接続し、有線式感知器１１０と受信装置１４０とを相互に接続し、及び受信装置１４０と受信機１５０とを相互に接続している。なお、Ａ線１０２ａとＣ線１０２ｂとの間、及びＬ線１０２ｃとＣ線１０２ｂとの間には、受信機１５０から所定の電圧が印加されている。また、Ｌ線１０２ｃ及びＣ線１０２ｂの終端には図示しない終端器（例えば抵抗器）が接続されており、受信機は、電気的に終端器の接続の有無を判断することで（例えば、前述のＬ線１０２ｃから終端器を介してＣ線１０２ｂに流れる電流が所定範囲にあるか否かを判断することで）、Ｌ線１０２ｃ及びＣ線１０２ｂが断線しているか否かの確認を行っている。
【０００３】
このような防災システム１０１の構成においては、端末機器の火災信号を受信機１５０に送信する方法としては、例えば、端末機器が、当該端末機器と接続された信号線１０２を短絡させることにより、当該端末機器の火災信号を受信機１５０に送信する。具体的には、発信機１３０の火災信号の場合には、当該発信機１３０が、当該発信機１３０と接続されたＡ線１０２ａ、Ｃ線１０２ｂ、及びＬ線１０２ｃを短絡させることによりＡ線１０２ａ及びＬ線１０２ｃからＣ線１０２ｂに向けて電流が流れるようにし、その電流を受信機１５０に検知させることにより、当該発信機１３０の火災信号を受信機１５０に送信する。また、有線式感知器１１０の火災信号の場合には、当該有線式感知器１１０が、当該有線感知器と接続されたＣ線１０２ｂ及びＬ線１０２ｃを短絡させることにより、当該有線式感知器１１０の火災信号を受信機１５０に送信する。また、無線式感知器１２０の火災信号の場合には、受信装置１４０が、無線式感知器１２０から火災信号を受信した後に、当該受信装置１４０と接続されたＣ線１０２ｂ及びＬ線１０２ｃを短絡させることにより、Ｌ線１０２ｃからＣ線１０２ｂに向けて電流が流れるようにし、その電流を受信機１５０に検知させることにより、当該有線式感知器１１０の火災信号を受信機１５０に送信する（例えば、特許文献１参照）。
【先行技術文献】
【特許文献】
【０００４】
【特許文献１】特開平０８−１８５５９０号公報
【発明の概要】
【発明が解決しようとする課題】
【０００５】
しかしながら、このような従来の防災システム１０１において、発信機１３０の設置に関して問題があった。例えば、図１２に示す発信機１３０は、信号線１０２によって受信機１５０と接続しなければならないので、当該発信機１３０の設置台数が多い場合には、設置コスト及び設置の手間がかかっていた。また、この発信機１３０は建物の各階層毎に設けられており、発信機１３０同士がＡ線１０２ａによって渡り接続されている。具体的には、建物の各階層毎の天井又は床に設けられた貫通孔を介して発信機１３０同士がＡ線１０２ａと接続されている。このような発信機１３０の設置においては、貫通孔の穿設が必要であるので、このことが更に設置コスト及び設置の手間がかかる要因となっていた。
【０００６】
本発明は、上記に鑑みてなされたものであって、受信装置を提供することを目的とする。
【課題を解決するための手段】
【０００７】
上述した課題を解決し、目的を達成するために、請求項１に記載の受信装置は、受信機に対して複数の信号線を介して接続されている受信装置であって、火災を報知するために第１火災報知端末が送信する第１火災信号であって前記第１火災報知端末を一意に識別するための第１識別情報を含む第１火災信号、又は、火災を報知するために前記第１火災報知端末とは異なる第２火災報知端末が送信する第２火災信号であって前記第２火災報知端末を一意に識別するための第２識別情報を含む第２火災信号を無線にて受信する無線受信手段と、前記無線受信手段が前記第１火災信号を無線にて受信した場合に、受信した前記第１火災信号に含まれている前記第１識別情報を取得し、前記無線受信手段が前記第２火災信号を無線にて受信した場合に、受信した前記第２火災信号に含まれている前記第２識別情報を取得する識別情報取得手段と、前記第１識別情報を前記識別情報取得手段が取得した場合、前記第１火災信号の移報を前記受信機に対して行うべく、前記複数の信号線の接続状態を第１接続状態とし、前記第２識別情報を前記識別情報取得手段が取得した場合、前記第２火災信号の移報を前記受信機に対して行うべく、前記複数の信号線の接続状態を前記第１接続状態とは異なる第２接続状態とする制御手段と、を備える。
【０００８】
請求項２に記載の受信装置は、請求項１に記載の受信装置において、前記制御手段は、前記第１火災信号のみを前記無線受信手段が受信した場合において、前記第１識別情報のみを前記識別情報取得手段が取得した場合、前記複数の信号線の接続状態を前記第１接続状態とし、この後、前記第１火災信号を前記無線受信手段が受信し続けている間において更に前記第２火災信号を前記無線受信手段が受信した場合において、前記第２識別情報を前記識別情報取得手段が取得した場合、前記複数の信号線の接続状態を前記第１接続状態に替えて前記第２接続状態とする。
【０００９】
請求項３に記載の受信装置は、請求項２に記載の受信装置において、前記無線受信手段は、火災からの復旧を報知するために前記第２火災報知端末が送信する火災復旧信号であって前記第２識別情報を含む火災復旧信号を更に受信し、前記識別情報取得手段は、前記無線受信手段が前記火災復旧信号を無線にて受信した場合に、受信した前記火災復旧信号に含まれている前記第２識別情報を取得し、前記制御手段は、前記第１火災信号を前記無線受信手段が受信し続けている間において更に前記第２火災信号を前記無線受信手段が受信した後であって、前記第１火災信号を前記無線受信手段が未だ受信し続けている間に、前記火災復旧信号を前記第２火災信号に替えて前記無線受信手段が受信した場合において、前記第２識別情報を前記識別情報取得手段が取得した場合、前記複数の信号線の接続状態を前記第２接続状態に替えて前記第１接続状態とする。
【００１０】
請求項４に記載の受信装置は、請求項２又は３に記載の受信装置において、前記複数の信号線は、第１〜第３信号線を有し、前記第１接続状態は、前記第１信号線と前記第２信号線とが短絡しており、且つ、前記第３信号線と前記第１及び第２信号線とが開放されている接続状態であり、前記第２接続状態は、前記第１信号線と前記第２信号線とが短絡しており、且つ、前記第２信号線と前記第３信号線とが短絡している接続状態である。
【図面の簡単な説明】
【００１１】
【図１】火災報知システムの構成を示す概略図である。
【図２】受信装置と受信機との信号線の接続状況を示す概要図である。
【図３】発信機の電気的構成を示したブロック図である。
【図４】中継装置の電気的構成を示したブロック図である。
【図５】受信装置の電気的構成を概念的に示すブロック図である。
【図６】信号出力部の各端子の接続状況を示す概略図である。
【図７】移報方法テーブルに格納される情報の内容を例示した表である。
【図８】感知器、発信機、中継装置、及び受信装置によって実行される中継処理のフローチャートである。
【図９】発信機及び受信装置によって実行される中継処理のフローチャートである。
【図１０】発信機及び受信装置によって実行される試験処理のフローチャートである。
【図１１】発信機及び受信装置によって実行される出力電圧判定処理のフローチャートである。
【図１２】従来の防災システムの概略図である。
【発明を実施するための形態】
【００１２】
以下に添付図面を参照して、この発明に係る発信機及び火災報知システムの実施の形態を詳細に説明する。最初に、この発信機を備えて構成された火災報知システムの全体構成を説明し、次に、この発信機の構成を説明し、火災報知システムを構成する各機器が実行する中継処理の流れについて説明し、さらに、この発信機の中継処理、試験処理、及び出力電圧判定処理について説明し、最後に本実施の形態に対する変形例について説明する。ただし、この実施の形態によって本発明が限定されるものではない。なお、実施の形態に係る発信機の設置対象や適用対象は任意であるが、以下では、オフィスビルの屋内に設置された発信機に適用した場合を例として説明を行う。
【００１３】
〔実施の形態〕
（構成−火災報知システム）
図１は、火災報知システムの構成を示す概略図である。図１に示すように、火災報知システム１は、感知器１０、発信機２０、中継装置３０、受信装置４０、及び受信機５０を備えて構成されている。感知器１０、発信機２０、中継装置３０、及び受信装置４０は、建物の各階における天井や壁に配置されている。このうち、感知器１０及び発信機２０は、それぞれ法定の設置間隔を満たすように、各階毎に１台又は複数台が配置されている。中継装置３０は、各階において中継対象となる感知器１０及び発信機２０と、受信装置４０との相互間に配置されている。受信装置４０は、各階に１台配置されている。受信機５０は、建物に１台配置されており、例えば建物の管理人室に設置されている。また、これら受信装置４０及び受信機５０は、信号線２及び電源線３により接続されている。
【００１４】
ここで、感知器１０は、火災を報知する火災信号又は火災からの復旧を報知する火災復旧信号を送信する無線式の火災報知端末である。発信機２０は、火災信号、火災復旧信号、当該発信機２０から送信される信号の送信状況を確認するための試験信号、又は後述する当該発信機２０の電源部２５の出力電圧低下を報知するための出力電圧低下信号を送信する無線式の火災報知端末である。中継装置３０は、感知器１０又は発信機２０から火災信号、火災復旧信号、試験信号、又は出力電圧低下信号を受信し、当該受信した火災信号、火災復旧信号、試験信号、又は出力電圧低下信号を受信装置４０に中継するものである。受信装置４０は、感知器１０、発信機２０、及び／又は中継装置３０から送信された火災信号、火災復旧信号、試験信号、又は出力電圧低下信号を受信し、当該受信した火災信号又は出力電圧低下信号を信号線２を介して受信機５０に出力するものである。受信機５０は、受信装置４０から信号線２を介して入力された情報に基づき、警報表示や警報音の出力等の各種処理を実行したり、電源線３を介して受信装置４０への電力供給を行うものである。
【００１５】
次に、信号線２を介した各端末機器の接続形態について説明する。本実施の形態において、火災報知システム１は、いわゆるＰ型２級の火災報知システムとして構成されている。図２は、受信装置４０と受信機５０との信号線２の接続状況を示す概要図である。図２に示すように、信号線２は、Ａ線２ａ、Ｃ線２ｂ、及びＬ線２ｃを含んで構成されており、これらＡ線２ａ、Ｃ線２ｂ、及びＬ線２ｃは、受信装置４０及び受信機５０を相互に接続する。また、Ａ線２ａは、建物の各階毎に設けられた受信装置４０に渡り接続されている（図示省略）。Ａ線２ａとＣ線２ｂ（以下「Ａ−Ｃ線」２ｄという）は、受信装置４０にて受信された発信機２０の火災信号を受信機５０に向けて送信する線である。また、Ｌ線２ｃとＣ線２ｂ（以下「Ｌ−Ｃ線」２ｅという）は、受信装置４０にて受信された感知器１０の火災信号を送信する線であり、発信機２０の火災信号又は出力電圧低下信号を送信する線でもある。各系統（ここでは、建物の各階毎）のＬ−Ｃ線２ｅにおける終端には、図示しない終端抵抗が設けられている。
【００１６】
（構成−火災報知システム−感知器）
次に、感知器１０の構成について説明する。感知器１０は、センサ部、無線送信部、及び電源部を備えて構成されている（図示省略）。センサ部は、温度や煙濃度等を検知するための検知手段である。無線送信部は、火災信号又は火災復旧信号を送信する無線送信手段である。この無線送信部は、例えば、図示しない火災判断部によって、センサ部における温度や煙濃度の検知結果をもとに、この検知結果が閾値よりも高いと判断された場合に、無線送信部は火災信号を送信する。また、当該火災信号が送信された後、図示しない火災判断部によって、検知結果が閾値よりも低いと判断された場合に、無線送信部は火災復旧信号を送信する。また、この無線送信部は、例えば、感知器１０が備える公知の記憶手段（図示省略）に予め記憶された情報であって、当該感知器１０を一意に識別する感知器識別情報を火災信号又は火災復旧信号に含めて送信する。ここで、公知の記憶手段に記憶される、感知器識別情報としては、例えば感知器１０のアドレス番号又はシリアル番号を用いることができる（後述する発信機２０の発信機識別情報についても同様）。電源部は、感知器１０の各部に電力を供給する電池であり、例えば公知の乾電池や充電池を備えて構成される（後述する発信機２０の電源部２５、及び中継装置３０の電源部３４についても同様）。
【００１７】
（構成−火災報知システム−発信機）
次に、発信機２０の構成について説明する。図３は、発信機２０の電気的構成を示したブロック図である。図３に示すように、発信機２０は、押しボタン部２１、テストスイッチ部２２、無線送信部２３、表示部２４、電源部２５、出力電圧検出部２６、制御部２７、及び記憶部２８を備えて構成されている。なお、電源部２５の構成については上述の感知器１０における電源部と同様であるので、特記する部分を除き説明を省略する。
【００１８】
押しボタン部２１は、ユーザによる火災信号又は火災復旧信号の送信指示を受け付ける操作手段である。また、テストスイッチ部２２は、試験信号の送信指示をユーザから受け付ける試験操作手段であり、例えばリードスイッチ等を備えて構成されている。
【００１９】
無線送信部２３は、火災信号、火災復旧信号、試験信号、又は出力電圧低下信号を送信する無線送信手段である。この無線送信部２３は、例えばユーザによって押しボタン部２１が押し下げられた場合に火災信号を送信し、ユーザによって押しボタン部２１が押し下げられる前の状態に復旧された場合に火災信号を停止すると共に、火災復旧信号を送信する。また、ユーザによってテストスイッチ部２２が操作された場合に試験信号を送信する。また、後述する出力電圧判定部２７ｂにて電源部２５の出力電圧が所定電圧よりも低いと判定された場合に、出力電圧低下信号を送信する。
【００２０】
表示部２４は、発信機２０に関する情報を表示するための表示手段であり、例えば公知のＬＥＤランプ、蛍光ランプ等を備えて構成される。出力電圧検出部２６は、電源部２５の出力電圧を検出する出力電圧検出手段である。
【００２１】
制御部２７は、発信機２０の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成される（後述する中継装置３０の制御部３５、及び受信装置４０の制御部４６についても同様）。
【００２２】
この制御部２７は、機能概念的に火災信号生成部２７ａ及び出力電圧判定部２７ｂを備えている。火災信号生成部２７ａは、押しボタン部２１がユーザから火災信号の送信指示を受け付けた場合に、後述する発信機識別情報を後述する記憶部２８から取得し、当該取得した発信機識別情報を火災信号に付加し、又はユーザによって押しボタン部２１が押し下げられる前の状態に復旧された場合に、後述する記憶部２８から取得した後述する発信機識別情報を火災復旧信号に付加する火災信号生成手段である。出力電圧判定部２７ｂは、出力電圧検出部２６にて検出された出力電圧が所定電圧よりも低いか否かを判定する出力電圧判定手段である。なお、この制御部２７によって実行される処理の詳細については後述する。
【００２３】
記憶部２８は、当該発信機２０を一意に識別する発信機識別情報等を格納する識別情報格納手段である。この記憶部２８は、書き換え可能な記録媒体を用いて構成され、例えばフラッシュメモリ等の不揮発性記録媒体を用いることができる（後述する中継装置３０の記憶部３６、及び受信装置４０の記憶部４７についても同様）。
【００２４】
（構成−火災報知システム−中継装置）
次に、中継装置３０の構成について説明する。図４は、中継装置３０の電気的構成を示したブロック図である。図４に示すように、中継装置３０は、操作部３１、表示部３２、無線通信部３３、電源部３４、制御部３５、及び記憶部３６を備えている。なお、電源部３４の構成については上述の感知器１０における電源部と同様であるので、特記する部分を除き説明を省略する。
【００２５】
操作部３１は、中継装置３０に対する操作入力を受け付ける操作手段であり、例えばスイッチやタッチパネル等の公知の操作手段を用いて構成される（後述する受信装置４０の操作部４１についても同様）。
【００２６】
表示部３２は、中継装置３０に関する情報を表示するための表示手段であり、例えば公知の７セグメントディスプレイや液晶ディスプレイ等を備えて構成される（後述する受信装置４０の表示部４２についても同様）。
【００２７】
無線通信部３３は、火災信号、火災復旧信号、試験信号、又は出力電圧低下信号の受信及び送信を行う無線通信手段である。この無線通信部３３は、例えば無線信号の受信回路及び送信回路（いずれも図示せず）を備え、受信回路を介して感知器１０、又は発信機２０から送信された火災信号又は火災復旧信号の受信を行い、あるいは受信回路を介して発信機２０から送信された試験信号又は出力電圧低下信号の受信を行い、送信回路を介して受信装置４０への火災信号、火災復旧信号、試験信号、又は出力電圧低下信号の送信を行う。
【００２８】
制御部３５は、中継装置３０の各部を制御する制御手段である。記憶部３６は、制御部３５による制御に必要なプログラム及び各種のデータを記憶する記憶手段である。
【００２９】
（構成−火災報知システム−受信装置）
次に、受信装置４０の構成について説明する。図５は、受信装置４０の電気的構成を概念的に示すブロック図である。図５に示すように、受信装置４０は、操作部４１、表示部４２、無線受信部４３、信号出力部４４、電源回路部４５、制御部４６、及び記憶部４７を備えている。なお、操作部４１及び表示部４２の構成については上述の中継装置３０における操作部３１及び表示部３２と同様であるので、特記する部分を除き説明を省略する。
【００３０】
無線受信部４３は、火災信号、火災復旧信号、試験信号、又は出力電圧低下信号の受信を行う無線受信手段である。この無線受信部４３は、火災信号、火災復旧信号、試験信号、又は出力電圧低下信号の受信回路（図示せず）を備え、受信回路を介して感知器１０、発信機２０、及び／又は中継装置３０から送信された火災信号又は火災復旧信号の受信を行い、あるいは受信回路を介して発信機２０、及び／又は中継装置３０から送信された試験信号、又は出力電圧低下信号の受信を行う。
【００３１】
信号出力部４４は、感知器１０、発信機２０、及び／又は中継装置３０から受信した火災信号を受信機５０に出力し、又は発信機２０、及び／又は中継装置３０から受信した出力電圧低下信号を受信機５０に出力する移報手段である。この信号出力部４４は、Ａ−Ｃ出力部４４ａ及びＬ−Ｃ出力部４４ｂを備えて構成されている。Ａ−Ｃ出力部４４ａは、Ａ−Ｃ線２ｄを介して、発信機２０及び／又は中継装置３０から受信した火災信号を受信機５０に出力するＡ−Ｃ出力手段である。Ｌ−Ｃ出力部４４ｂは、Ｌ−Ｃ線２ｅを介して、感知器１０、及び／又は中継装置３０から受信した火災信号を受信機５０に出力したり、発信機２０、及び／又は中継装置３０から受信した火災信号又は出力電圧低下信号を受信機５０に出力するＬ−Ｃ出力手段である。
【００３２】
図６は、信号出力部４４の各端子の接続状況を示す概略図である。図６に示すように、信号出力部４４は、Ａ線出力端子２ａ１、Ａ線入力端子２ａ２、Ｃ線出力端子２ｂ１、Ｃ線入力端子２ｂ２、Ｌ線出力端子２ｃ１、及びＬ線入力端子２ｃ２を備えて構成されている。これらＡ線出力端子２ａ１、Ｃ線出力端子２ｂ１、及びＬ線出力端子２ｃ１は、火災信号又は出力電圧低下信号を受信機５０に出力するためのものであり、受信機５０側とは逆側（受信装置４０を挟んで受信機５０側と反対に位置する側）のＡ線２ａ、Ｃ線２ｂ、及びＬ線２ｃと各々接続されている。また、これらＡ線入力端子２ａ２、Ｃ線入力端子２ｂ２、及びＬ線入力端子２ｃ２は、火災信号又は出力電圧低下信号を受信機５０に入力するためのものであり、受信機５０側のＡ線２ａ、Ｃ線２ｂ、及びＬ線２ｃと各々接続されている。
【００３３】
Ｌ線出力端子２ｃ１とＬ線入力端子２ｃ２とを接続するＬ線２ｃには、当該Ｌ線２ｃの接続切替のためのリレー２ｆが設けられている。また、Ｌ線出力端子２ｃ１とＬ線入力端子２ｃ２とを接続するＬ線２ｃとＣ線出力端子２ｂ１とＣ線入力端子２ｂ２とを接続するＣ線２ｂとの間には、これらＬ線２ｃ及びＣ線２ｂの接続切替のためのリレー２ｇが設けられている。このリレー２ｇは、リレー２ｆよりも受信機５０側から近い側に配置されている。また、Ａ線出力端子２ａ１とＡ線入力端子２ａ２とを接続するＡ線２ａとＬ線出力端子２ｃ１とＬ線入力端子２ｃ２とを接続するＬ線２ｃとの間には、これらＡ線２ａ及びＣ線２ｂの接続切替のためのリレー２ｈが設けられている。
【００３４】
ここで、この信号出力部４４が火災信号又は出力電圧低下信号を受信機５０に対して出力する方法としては、例えば、信号出力部４４が、受信装置４０と接続された信号線２を導通可能にさせたり、短絡させたり、又は断線させることにより、感知器１０又は発信機２０の火災信号を受信機５０に送信したり、あるいは発信機２０の出力電圧低下信号を受信機５０に送信する。具体的には、信号出力部４４が通常動作を行う場合には、Ｌ−Ｃ出力部４４ｂは、Ｌ−Ｃ線２ｅが導通可能になるように、Ｌ線２ｃをリレー２ｆにより接続させる。また、信号出力部４４が感知器１０の火災信号を受信機５０に対して出力する場合には、Ｌ−Ｃ出力部４４ｂは、Ｌ−Ｃ線２ｅが短絡するように、当該Ｌ−Ｃ線２ｅをリレー２ｇにより接続させる。また、信号出力部４４が発信機２０の火災信号を受信機５０に対して出力する場合には、Ａ−Ｃ出力部４４ａは、Ａ−Ｃ線２ｄが短絡するように、当該Ａ−Ｃ線２ｄをリレー２ｈにより接続させると共に、Ｌ−Ｃ出力部４４ｂは、Ｌ−Ｃ線２ｅが短絡するように、当該Ｌ−Ｃ線２ｅを公知のリレー２ｇにより接続させる。また、信号出力部４４が発信機２０の出力電圧低下信号を受信機５０に対して出力する場合には、Ｌ−Ｃ出力部４４ｂは、Ｌ−Ｃ線２ｅが断線するように、Ｌ線２ｃをリレー２ｆにより切り離す。なお、以下、「断線」とは、Ａ線２ａ、Ｃ線２ｂ、又はＬ線２ｃのいずれかを、受信装置４０の信号出力部４４の内部において、受信機５０に近い側と遠い側に切り離すことを意味する。このことにより、終端器を受信機５０から電気的に切り離し、出力電圧低下信号を受信機５０に送信する。
【００３５】
図５に戻り、電源回路部４５は、電源線３を介して受信機５０から供給された電力を受信装置４０の各部に供給する（なお、電源回路部４５から受信装置４０の各部に対する電力供給線の図示は省略する）。
【００３６】
制御部４６は、受信装置４０の各部を制御する制御手段である。この制御部４６は、機能概念的に識別情報取得部４６ａ及び受信強度測定部４６ｂを備えている。識別情報取得部４６ａは、受信装置４０が火災信号又は火災復旧信号を受信した場合に、当該火災信号又は火災復旧信号から感知器識別情報又は発信機識別情報を取得する識別情報取得手段である。受信強度測定部４６ｂは、発信機２０から受信した試験信号の受信強度を測定する受信強度測定手段である。なお、この制御部４６によって実行される処理の詳細については後述する。
【００３７】
記憶部４７は、制御部４６が信号出力部４４によって、火災信号を受信機５０に送信する際に参照するための移報方法テーブル４７ａを備えている。図７は、移報方法テーブル４７ａに格納される情報の内容を例示した表である。図７に示すように、移報方法テーブル４７ａには、テーブル項目「端末ＩＤ」、「種別」、及び「移報方法」に対応する情報が相互に関連付けて格納される。項目「端末ＩＤ」に対応して格納される情報は、感知器１０又は発信機２０を一意に識別する識別情報であり、例えば感知器１０等のアドレス番号（図９では「０１０１」、「０１０２」、「０１０３」等）が格納される。項目「種別」に対応して格納される情報は、機器の種別を特定する種別情報であり、例えば「感知器」、「発信機」等が格納される。項目「移報方法」に対応して格納される情報は、感知器１０又は発信機２０の火災信号の移報方法を特定するための移報方法情報であり、例えば「Ｌ−Ｃ線短絡」、「Ｌ−Ｃ線、及びＡ−Ｃ線短絡」等が格納される。
【００３８】
（構成−火災報知システム−受信機）
次に、受信機５０の構成について説明する。この受信機５０としては、例えば公知の防災受信機を用いることができる。
【００３９】
（処理）
次に、このように構成された火災報知システム１によって実行される処理について説明する。火災報知システム１によって実行される処理は、感知器１０又は発信機２０から送信された火災信号又は火災復旧信号を、受信装置４０を介して受信機５０に中継する中継処理、発信機２０から送信される信号の送信状況を確認するための試験処理、及び発信機２０の電源部２５の出力電圧が所定電圧に比べて低下したか否かを判定する出力電圧判定処理に大別される。以下、これらの処理について説明する。
【００４０】
（処理−火災報知システムを構成する各機器が実行する中継処理について）
まず、火災報知システム１を構成する各機器が実行する中継処理について説明する。図１に示すように、建物の３階に感知器１０、発信機２０、中継装置３０、及び受信装置４０が設置されている場合を例に挙げて説明する。図８は、感知器１０、発信機２０、中継装置３０、及び受信装置４０によって実行される中継処理のフローチャートである（なお、中継装置３０の動作の図示は省略する）。なお、以下の説明では、「ステップ」を「Ｓ」と略記する。また、感知器１０のステップを「ＳＡ」、発信機２０のステップを「ＳＢ」、及び受信装置４０のステップを「ＳＣ」と略記する。また、受信装置４０の動作中に発生したイベントは、受信装置４０の制御部４６によって記憶部４７に記録されるものとする。
【００４１】
図８に示すように、感知器１０の検知部にて火災が検知されたことによって、当該感知器１０の無線送信部が火災信号を送信した場合（ＳＡ１）、受信装置４０の無線受信部４３は、感知器１０から火災信号を無線で受信し（ＳＣ１）、信号出力部４４は、当該無線受信部４３にて受信した感知器１０の火災信号の移報を受信機５０に対して行う（ＳＣ２）。なお、感知器１０の無線送信部は、検出部が火災を検出しなくなるまで火災信号を継続してまたは断続的に送信する。
【００４２】
次に、発信機２０の押しボタン部２１が押し下げられたことによって、当該発信機２０の無線送信部２３が火災信号を送信した場合（ＳＢ１）、受信装置４０の無線受信部４３は、発信機２０、及び／又は中継装置３０から火災信号を受信する（ＳＣ３）。ここで、受信装置４０の信号出力部４４は、ＳＣ２の感知器１０の火災信号の移報を行っている状態であるが、発信機２０が火災信号を出力していることを受信機５０に知らせるために、この感知器１０の火災信号の移報に替えて、無線受信部４３にて受信した発信機２０の火災信号の移報を受信機５０に対して行う（ＳＣ４）。なお、発信機２０の押しボタン部２１は、押し下げられた状態を維持しながら、押し下げられる前の状態に復旧するまで火災信号を継続してまたは断続的に送信する。
【００４３】
次に、発信機２０の押しボタン部２１がユーザによって押し下げられた状態から押し下げられる前の状態に復旧されたことによって、発信機２０の無線送信部２３が火災復旧信号を送信した場合（ＳＢ２）、受信装置４０の無線受信部４３は、発信機２０、及び／又は中継装置３０から火災復旧信号を受信する（ＳＣ５）。これにより、受信装置４０の信号出力部４４が、ＳＣ４の発信機２０の火災信号の移報を行っている状態から当該発信機２０の火災信号の移報を行う前の状態に復旧させる、すなわち発信機２０の火災信号の移報を停止する（ＳＣ６）。ここで、ＳＣ１の処理以降、受信装置４０の無線受信部４３は、感知器１０及び／又は中継装置３０から感知器１０の火災信号を継続して受信している。そのため、ＳＣ６の処理後、受信装置４０の信号出力部４４は、無線受信部４３にて受信した感知器１０の火災信号の移報を受信機５０に対して行う（ＳＣ７）。
【００４４】
次いで、感知器１０の検知部にて火災が検知されなくなったことによって、感知器１０の無線送信部が火災復旧信号を送信した場合（ＳＡ２）、受信装置４０の無線受信部４３は、感知器１０及び／又は中継装置３０から火災復旧信号を受信し（ＳＣ８）、受信装置４０の信号出力部４４は、ＳＣ７の感知器１０の火災信号の移報を停止する（ＳＣ９）。
【００４５】
（処理−中継処理）
次に、発信機２０及び受信装置４０によって実行される中継処理を、図８に示すＳＢ１〜ＳＢ２、ＳＣ１〜ＳＣ９の中継処理と関連づけて説明する。図９は、発信機２０及び受信装置４０によって実行される中継処理のフローチャートである。この中継処理の実行タイミングは任意で、例えば、発信機２０の電源が投入され、当該受信装置４０の操作部４１を介して中継処理を実行する旨の操作入力がされた場合に実行される。また、受信装置４０と受信機５０とを接続する信号線２は導通可能な状態であるものとする。なお、以下の説明では、発信機２０のステップを「ＳＤ」、及び受信装置４０のステップを「ＳＥ」と略記する。
【００４６】
最初に、発信機２０の中継処理について説明する。図９に示すように、まず、発信機２０の制御部２７は、押しボタン部２１がユーザから火災信号の送信指示を受け付けたか否かを監視する（ＳＤ１）。
【００４７】
ここで、ユーザによって押しボタン部２１が押し下げられることで、押しボタン部２１が火災信号の送信指示を受け付けた場合に（ＳＤ１、Ｙｅｓ）、発信機２０の火災信号生成部２７ａは、発信機識別情報を記憶部２８から取得し、当該取得した発信機識別情報を火災信号に付加する（ＳＤ２）。そして、発信機２０の制御部２７は、当該発信機識別情報が付加された火災信号を無線送信部２３によって無線で送信させる（ＳＢ１）（ＳＤ３）。これにより、信号線を介して受信装置４０に火災信号を送信する有線式の発信機に比べて信号線の敷設等を省くことができ、当該発信機２０の設置コストや設置の手間を低減することができる。また、発信機２０の無線送信部２３は、当該無線送信部２３が火災信号生成部２７ａにて発信機識別情報が付加された火災信号を無線にて送信するので、例えば受信装置４０は発信機２０の火災信号を容易に識別することができる。なお、無線送信部２３による火災信号の送信方法は任意であり、中継装置３０又は受信装置４０の火災信号の受信の確実性を向上させるために、例えば、押しボタン部２１が火災信号の送信指示を受け付けた場合に、発信機２０の無線送信部２３は、火災信号を所定時間ごとに無線にて繰り返し送信するようにしてもよい。
【００４８】
次に、発信機２０の制御部２７は、ユーザによって押しボタン部２１が火災信号の送信指示を受け付ける前の状態に復旧されたか否かを監視する（ＳＤ４）。ここで、ユーザによる押しボタン部２１の操作がなされないことで、押しボタン部２１が火災信号の送信指示を受け付けた状態を維持する場合（ＳＤ４、Ｎｏ）、発信機２０の制御部２７は、ＳＤ３の処理に移行して、火災信号を継続して送信する。
【００４９】
一方、ユーザによって押しボタン部２１が元の位置まで押し上げられることで、押しボタン部２１が火災信号の送信指示を受け付ける前の状態に復旧された場合（ＳＤ４、Ｙｅｓ）、発信機２０の火災信号生成部２７ａは、発信機識別情報を記憶部２８から取得し、当該取得した発信機識別情報を火災復旧信号に付加する（ＳＤ５）。そして、発信機２０の制御部２７は、当該発信機識別情報が付加された火災復旧信号を無線送信部２３によって無線で送信させる（ＳＢ２）（ＳＤ６）。これにより、信号線を介して受信装置４０に火災復旧信号を送信する有線式の発信機に比べて信号線の敷設等を省くことができ、当該発信機２０の設置コストや設置の手間を一層低減することができる。その後、発信機２０の制御部２７は、ＳＤ１の処理に移行する。
【００５０】
次に、受信装置４０の中継処理について説明する。図９に示すように、まず、受信装置４０の制御部４６は、無線受信部４３が火災信号を受信したか否かを監視する（ＳＥ１）。
【００５１】
ここで、無線受信部４３が感知器１０の火災信号を受信した場合（ＳＣ１）（ＳＥ１、Ｙｅｓ）、受信装置４０の識別情報取得部４６ａは当該無線受信部４３にて受信した感知器１０の火災信号の感知器識別情報を取得する（ＳＥ２）。そして、受信装置４０の制御部４６は移報方法テーブル４７ａを参照し、当該識別情報取得部４６ａにて取得された感知器識別情報に応じて、信号出力部４４によって信号線２を短絡させる（ＳＣ２）（ＳＥ３）。具体的には、受信装置４０の制御部４６はＬ−Ｃ出力部４４ｂによってＬ−Ｃ線２ｅを短絡させる。なお、受信装置４０の制御部４６は、表示部４２によってＬ−Ｃ線２ｅが短絡状態である旨を表示させてもよい。これにより、ユーザに対して信号線２が短絡状態であることを報知することができる。または、受信装置４０の制御部４６は、感知器１０が火災発報状態にあることを識別できるように、表示部４２によって個別の感知器１０を表示させてもよい。これによって、火災の位置の特定が容易となる。
【００５２】
続いて、受信装置４０の制御部４６は無線受信部４３が火災復旧信号を受信したか否かを監視する（ＳＥ４）。ここで、無線受信部４３が火災復旧信号を受信しなかった場合（ＳＥ４、Ｎｏ）、受信装置４０の制御部４６は、ＳＥ１の処理に移行する。
【００５３】
次に、受信装置４０の無線受信部４３が発信機２０の火災信号を受信した場合（ＳＣ３）（ＳＥ１、Ｙｅｓ）、受信装置４０の識別情報取得部４６ａが当該受信した発信機２０の火災信号から発信機識別情報を取得する（ＳＥ２）。そして、受信装置４０の制御部４６は移報方法テーブル４７ａを参照し、識別情報取得部４６ａにて取得された発信機識別情報に応じて、信号出力部４４によって信号線２を短絡させる（ＳＣ４）（ＳＥ３）。具体的には、受信装置４０の制御部４６はＬ−Ｃ出力部４４ｂによってＬ−Ｃ線２ｅを短絡させた状態を維持させながら、Ａ−Ｃ出力部４４ａによってＡ−Ｃ線２ｄを短絡させる。
【００５４】
続いて、受信装置４０の制御部４６は無線受信部４３が火災復旧信号を受信したか否かを監視する（ＳＥ４）。ここで、無線受信部４３が火災復旧信号を受信しなかった場合（ＳＥ４、Ｎｏ）、受信装置４０の制御部４６は、ＳＥ１の処理に移行する。
【００５５】
次に、ＳＥ１〜ＳＥ３の処理後に、又は受信装置４０の無線受信部４３が火災信号を受信することなく（ＳＥ１、Ｎｏ）、受信装置４０の無線受信部４３が発信機２０の火災復旧信号を受信した場合（ＳＣ５）（ＳＥ４、Ｙｅｓ）、受信装置４０の識別情報取得部４６ａが当該受信した発信機２０の火災復旧信号から発信機識別情報を取得する（ＳＥ５）。
【００５６】
次いで、受信装置４０の制御部４６は、識別情報取得部４６ａにて取得された発信機識別情報に応じて、信号出力部４４によって信号線２を短絡させた状態から短絡させる前の状態に復旧させる（ＳＣ６）（ＳＥ６）。ここで、ＳＣ１の処理以降、受信装置４０の無線受信部４３が感知器１０の火災信号を継続して受信していることから、受信装置４０の制御部４６は、信号出力部４４によって、感知器１０の感知器識別情報に応じて信号線２を短絡させた場合と、発信機２０の発信機識別情報に応じて信号線２を短絡させた場合とで重複する信号線２の一部の短絡状態を維持させながら、当該重複しない信号線２の他の一部を復旧させる（ＳＣ７）（ＳＥ６）。具体的には、受信装置４０の制御部４６はＬ−Ｃ出力部４４ｂによってＬ−Ｃ線２ｅの短絡状態を維持させながら、Ａ−Ｃ出力部４４ａによってＡ−Ｃ線２ｄを短絡状態から開放状態へ復旧させる。その後、受信装置４０の制御部４６は、ＳＥ１の処理に移行する。
【００５７】
次に、ＳＥ１〜ＳＥ３の処理後に、又は受信装置４０の無線受信部４３が火災信号を受信することなく（ＳＥ１、Ｎｏ）、受信装置４０の無線受信部４３が感知器１０の火災復旧信号を受信した場合（ＳＣ８）（ＳＥ４、Ｙｅｓ）、受信装置４０の識別情報取得部４６ａが当該受信した感知器１０の火災復旧信号から感知器識別情報を取得する（ＳＥ５）。
【００５８】
続いて、受信装置４０の制御部４６は、識別情報取得部４６ａにて取得された感知器識別情報に応じて、信号出力部４４によって信号線２を短絡させた状態から短絡させる前の状態に復旧させる（ＳＣ９）（ＳＥ６）。具体的には、受信装置４０の制御部４６はＬ−Ｃ出力部４４ｂによってＬ−Ｃ線２ｅを短絡状態から導通可能な状態へ復旧させる。その後、受信装置４０の制御部４６は、ＳＥ１の処理に移行する。
【００５９】
（処理−試験処理）
次に、発信機２０及び受信装置４０によって実行される試験処理について説明する。図１０は、発信機２０及び受信装置４０によって実行される試験処理のフローチャートである。この試験処理の実行タイミングは任意で、例えば、発信機２０の電源が投入され、当該受信装置４０の操作部４１を介して試験処理を実行する旨の操作入力がされた場合に実行される。なお、以下の説明では、発信機２０のステップを「ＳＦ」、及び受信装置４０のステップを「ＳＧ」と略記する。
【００６０】
図１０に示すように、まず、発信機２０の制御部２７は、テストスイッチ部２２がユーザから試験信号の送信指示を受け付けたか否かを監視する（ＳＦ１）。ここで、ユーザによってテストスイッチ部２２がＯＮ状態にされることで、当該テストスイッチ部２２が火災信号の送信指示を受け付けた場合に（ＳＦ１、Ｙｅｓ）、発信機２０の制御部２７は、無線送信部２３によって試験信号を無線で送信させる（ＳＦ２）。なお、ＳＦ２の処理と同じタイミングで、発信機２０の制御部２７は、テストスイッチ部２２がユーザから試験信号の送信指示を受け付けた旨を表示部２４によって表示させてもよい。具体的には、発信機２０の制御部２７は、ユーザによってテストスイッチ部２２がＯＮ状態にされたタイミングで、表示部２４によって５ｓｅｃ程度点灯又は点滅させる。これにより、ユーザに対して試験信号が送信されていることを提示することができる。
【００６１】
次に、受信装置４０の制御部４６は、無線受信部４３が試験信号を受信したか否かを監視する（ＳＧ１）。ここで、無線受信部４３が試験信号を受信した場合（ＳＧ１、Ｙｅｓ）、受信装置４０の受信強度測定部４６ｂが当該受信した試験信号の受信強度を測定する（ＳＧ２）。次いで、受信装置４０の制御部４６は、受信強度測定部４６ｂにて測定された試験信号の受信強度を表示部４２によって表示させる（ＳＧ３）。これにより、試験信号の受信強度に基づいて、ユーザに対して発信機２０から送信される信号の送信状況を提示できる。また、受信装置４０は火災信号及び出力電圧低下信号以外の信号を受信機５０に中継しない。したがって、受信装置４０の制御部４６が、信号出力部４４によって受信機５０に対して試験信号の移報を行わせないので、受信機５０は試験信号を受信しないようにすることができ、試験処理時に受信機５０において火災警報等が誤って発せられることを防止することができる。
【００６２】
（処理−出力電圧判定処理）
次に、発信機２０及び受信装置４０によって実行される出力電圧判定処理について説明する。図１１は、発信機２０及び受信装置４０によって実行される出力電圧判定処理のフローチャートである。この出力電圧判定処理の実行タイミングは任意で、例えば、発信機２０及び受信装置４０の電源が投入された場合に、所定周期で自動的に繰り返し実行される。また、受信装置４０と受信機５０とを接続する信号線２は導通可能な状態であるものとする。なお、以下の説明では、発信機２０のステップを「ＳＨ」、及び受信装置４０のステップを「ＳＪ」と略記する。
【００６３】
図１１に示すように、まず、発信機２０の制御部２７は、所定の監視時間が到来したか否か監視する（ＳＨ１）。ここで、所定の監視時間が到来した場合（ＳＨ１、Ｙｅｓ）、発信機２０の制御部２７は、出力電圧検出部２６によって電源部２５の出力電圧を測定させる（ＳＨ２）。
【００６４】
次いで、発信機２０の出力電圧判定部２７ｂは、出力電圧検出部２６にて測定された出力電圧が所定電圧よりも低いか否かを判定する（ＳＨ３）。ここで、出力電圧検出部２６にて測定された出力電圧が所定電圧よりも高い場合には（ＳＨ３、Ｎｏ）、発信機２０の制御部２７は、処理を終了する。
【００６５】
一方、出力電圧検出部２６にて測定された出力電圧が所定電圧よりも低い場合には（ＳＨ３、Ｙｅｓ）、発信機２０の制御部２７は、無線送信部２３によって出力電圧低下信号を無線で送信する（ＳＨ４）。
【００６６】
続いて、受信装置４０の制御部４６は、無線受信部４３が出力電圧低下信号を受信したか否かを監視する（ＳＪ１）。ここで、無線受信部４３が出力電圧低下信号を受信した場合（ＳＪ１、Ｙｅｓ）、受信装置４０の制御部４６は、信号出力部４４によって信号線２を断線させる（ＳＪ２）。具体的には、受信装置４０の制御部４６は、Ｌ−Ｃ出力部４４ｂによってＬ−Ｃ線２ｅを断線させる。これにより、出力電圧低下信号の受信機５０に対する移報を行うことができるので、ユーザに対して電池の出力電圧が低下したことを報知することができる。
【００６７】
（効果）
このように実施の形態によれば、発信機２０は、ユーザによる火災信号の送信指示を受け付ける押しボタン部２１と、この押しボタン部２１がユーザから火災信号の送信指示を受け付けた場合には、火災信号を無線にて送信する無線送信部２３とを備えるので、信号線がなくても他の機器に火災信号を送信することができ、有線式の発信機と比べて設置コスト及び設置の手間を低減することができる。
【００６８】
また、発信機２０の無線送信部２３は、発信機２０の火災信号生成部２７ａにて発信機識別情報が付加された火災信号を無線にて送信するので、受信装置４０側又は受信機５０側に火災信号を送信した個別の感知器１０を識別できるかたちで火災状態を表示する機能があれば、発信機２０の火災信号を容易に識別でき、火災の位置を容易に特定することができる。
【００６９】
また、発信機２０の無線送信部２３は、発信機２０の押しボタン部２１がユーザから火災信号の送信指示を受け付けた場合に、火災信号を所定時間ごと（例えば５ｓｅｃごと）に無線にて繰り返し送信するので、他の機器に火災信号の受信の確実性を向上させることができ、有線式の発信機と同等の通信の安定性を確保することができる。
【００７０】
また、発信機２０の押しボタン部２１がユーザから火災信号の送信指示を受け付けた状態を維持しながら、発信機２０の無線送信部２３が火災信号を無線にて送信している場合において、発信機２０の押しボタン部２１がユーザによって火災信号の送信指示を受け付ける前の状態に復旧された場合には、発信機２０の無線送信部２３は当該火災信号の送信を停止すると共に、火災復旧信号を無線にて送信するので、信号線がなくても他の機器に火災復旧信号を送信することができ、有線式の発信機と比べて設置コスト及び設置の手間を一層低減することができる。
【００７１】
また、発信機２０の無線送信部２３は、発信機２０のテストスイッチ部２２がユーザから試験信号の送信指示を受け付けた場合に、試験信号を無線にて送信するので、試験信号を用いて発信機２０から送信される信号の送信状況を確認することができ、有線式の発信機と同等の通信の安定性を一層確保することができる。
【００７２】
また、発信機２０のテストスイッチ部２２がユーザから試験信号の送信指示を受け付けた場合に、発信機２０の表示部２４がその旨を表示するので、ユーザに対して試験信号が送信されていることを提示することができ、発信機２０が試験処理を行っていることを容易に識別することができる。
【００７３】
また、発信機２０の無線送信部２３は、発信機２０の出力電圧判定部２７ｂにて発信機２０の電源部２５の出力電圧が所定電圧よりも低いと判定された場合に、出力電圧低下信号を送信するので、ユーザに対して発信機２０の電源部２５の出力電圧が低下したことを報知することができ、その報知があった後にユーザが電源部２５のメンテナンスを行うようにすることで、有線式の発信機と同等の通信の安定性をさらに一層確保することができる。
【００７４】
また、火災報知システム１は、発信機２０と受信装置４０とを備えて構成され、このうち発信機２０は、ユーザによる火災信号の送信指示を受け付ける押しボタン部２１と、押しボタン部２１がユーザから火災信号の送信指示を受け付けた場合に、火災信号を無線にて送信する無線送信部２３と、を備え、受信装置４０は、発信機２０から受信した信号を受信機５０に移報するための信号出力部４４と、発信機２０から火災信号を受信した場合に、当該受信した火災信号の受信機５０に対する移報を信号出力部４４によって行わせる制御部４６と、を備えるので、受信装置４０が発信機２０から火災信号を無線で受信して、当該受信した火災信号の受信機５０に対する移報を行うことができ、有線式の発信機を備えて構成される火災報知システム１と比べて設置コスト及び設置の手間を低減することができる。
【００７５】
また、発信機２０から試験信号を受信した場合に、受信装置４０の受信強度測定部４６ｂが当該受信した試験信号の受信強度を測定し、制御部４６が当該測定した受信強度を表示部４２によって表示させるので、試験信号の受信強度に基づいて、発信機２０から送信される信号の送信状況をユーザに提示することができ、この送信状況に基づいて十分な強度で電波が届く設置環境となる設置位置をユーザが選ぶことができるため、有線式の発信機と同等の通信の安定性を確保することができる。また、受信装置４０の制御部４６が、信号出力部４４によって受信機５０に対して試験信号の移報を行わせないので、受信機５０が試験信号を受信しないようにすることができ、試験処理時に受信機５０において火災警報等が誤って発せられることを防止することができる。
【００７６】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７８】
（分散や統合について）
上述した火災報知システム１の各電気的構成要素は機能概念的なものであり、必ずしも物理的に図示の如く構成されていることを要しない。すなわち、各部の分散又は統合の具体的形態は図示のものに限られず、その全部又は一部を、各種の負荷や使用状況などに応じて、任意の単位で機能的又は物理的に分散又は統合して構成できる。
【００７９】
（感知器について）
上述した実施の形態では、感知器１０の無線送信部は、火災信号又は火災復旧信号を送信すると説明したが、これに限られない。例えば、この無線送信部は、感知器１０の動作状況を監視するために、当該感知器１０の感知器識別情報を定期的に送信してもよい。この場合には、受信装置４０の無線受信部４３が感知器識別情報を定期的に受信しなくなったと判定された場合に、受信装置４０の制御部４６は信号出力部４４によって信号線２を断線させてもよい。具体的には、受信装置４０の制御部４６はＬ−Ｃ出力部４４ｂによってＬ−Ｃ線２ｅを断線させる（なお、発信機２０の無線送信部２３についても同様）。
【００８０】
（発信機識別情報について）
上述した実施の形態では、発信機識別情報は、発信機２０を一意に識別する情報と説明したが、発信機２０の各々を識別するものに限られず、例えば単に発信機２０であることを識別する情報であってもよい。
【００８１】
（受信装置４０の処理について）
受信装置４０が火災信号や火災復旧信号を受信した際に、当該受信装置４０で行われる処理は、上述した実施の形態の処理に限定されない。すなわち、複数の端末装置（ここでは、感知器１０、発信機２０、中継装置３０）から、それぞれ火災信号が送信された場合、受信装置４０は、火災信号が送信された順に、信号線２を各火災信号に対応する形態で短絡させる。この短絡処理において、短絡対象となる信号線２のうち、既に短絡させている部分がある場合には、残りの部分のみを短絡させればよい。あるいは、短絡対象となる信号線２のうち、次に短絡させる部分が既に短絡させている部分と重複する部分を含む場合であって、かつ既に短絡させている部分よりも短絡させる部分が少ない場合には、既に短絡させている部分を維持させたり、又は既に短絡させている部分と次に短絡させる部分と重複する部分の短絡状態を維持させて、残りの部分を復旧させてもよい。また、複数の端末装置から、それぞれ火災復旧信号が送信された場合、受信装置４０は、火災復旧信号が送信された順に、信号線２を各火災復旧信号に対応する形態で導通可能な状態に復旧させる。この復旧処理において、復旧対象となる信号線２のうち、既に復旧させている部分がある場合には、残りの部分のみを復旧させればよいが、火災信号を送信した後に未だ火災復旧信号を送信していない端末装置がある場合には、当該端末装置からの火災信号に対応する形態で短絡させている部分は短絡状態に維持したまま、他の部分のみを復旧させる。
【００８２】
例えば、発信機２０の押しボタン部２１が押し下げられたことによって、当該発信機２０の無線送信部２３が火災信号を送信した後、感知器１０の検知部が火災を検知したことによって、当該感知器１０の有線送信部が火災信号を送信した場合の中継処理であっても、受信装置４０の無線受信部４３が感知器１０又は発信機２０から火災復旧信号を受信することにより、受信装置４０の信号出力部４４は受信機５０に対する火災信号の移報を停止する。具体的には、まず、受信装置４０の無線受信部４３が発信機２０の火災信号を受信した場合に、受信装置４０の制御部４６は、信号出力部４４によって、発信器２０の発信機識別情報に応じて信号線２を短絡させる。次いで、受信装置４０の無線受信部４３が感知器１０の火災信号を受信した場合に、受信装置４０の制御部４６は、信号出力部４４によって、感知機１０の感知器識別情報に応じて信号線２を短絡させる。この場合に、感知器識別情報に応じて信号線２を短絡させる部分が発信機識別情報に応じて信号線２を短絡させる部分よりも少ないので、受信装置４０の制御部４６は、信号出力部４４によって、発信機識別情報に応じて信号線２を短絡させた状態を維持させる（これについては、発信機２０の火災信号の移報では、Ａ−Ｃ線２ｄ及びＬ−Ｃ線２ｅを短絡させ、感知器１０の火災信号の移報では、Ｌ−Ｃ線２ｅを短絡させることが前提となる。以下同じ）。次に、受信装置４０の無線受信部４３が先に発信機２０の火災復旧信号を受信した場合に、受信装置４０の制御部４６は、信号出力部４４によって、感知器１０の感知器識別情報に応じて信号線２を短絡させた場合と、発信機２０の発信機識別情報に応じて信号線２を短絡させた場合とで重複する信号線２の一部の短絡状態を維持させながら、当該重複しない信号線２の他の一部を復旧させる。その後、受信装置４０の無線受信部４３が感知器１０の火災復旧信号を受信した場合に、受信装置４０の制御部４６は、信号出力部４４によって、当該感知器１０の感知器識別情報に応じて信号線２を導通可能な状態に復旧させる。一方、受信装置４０の無線受信部４３が先に感知器１０の火災復旧信号を受信した場合に、受信装置４０の制御部４６は、信号出力部４４によって、感知器１０の感知器識別情報に応じて信号線２を短絡させた場合と、発信機２０の発信機識別情報に応じて信号線２を短絡させた場合とで重複する信号線２の一部の短絡状態を維持させながら、発信機の火災信号の移報のみで用いられる信号線２の一部の短絡状態も維持する。その後、受信装置４０の無線受信部４３が発信機２０の火災復旧信号を受信した場合に、受信装置４０の制御部４６は、信号出力部４４によって、当該発信機２０の発信機識別情報に応じて信号線２を導通可能な状態に復旧させる。
【００８３】
また、火災報知システム１に複数の発信機２０が設けられている場合に（ここでは、発信機２０が２機設けられているものとする）、一方の発信機２０の押しボタン部２１が押し下げられたことによって、当該発信機２０の無線送信部２３が火災信号を送信した後、もう一方の発信機２０の押しボタン部２１が押し下げられたことによって、当該発信機２０の無線送信部２３が火災信号を送信した場合の中継処理であっても、受信装置４０の無線受信部４３がこれら発信機２０から火災復旧信号を受信することにより、受信装置４０の信号出力部４４は受信機５０に対する火災信号の移報を停止する。具体的には、まず、受信装置４０の無線受信部４３が一方の発信機２０の火災信号を受信した場合に、受信装置４０の制御部４６は、信号出力部４４によって、発信器２０の発信機識別情報に応じて信号線２を短絡させる。次いで、受信装置４０の無線受信部４３がもう一方の発信機２０の火災信号を受信した場合に、受信装置４０の制御部４６は、信号出力部４４によって、発信機２０の発信機識別情報に応じて信号線２を短絡させる。この場合に、これら発信機識別情報に応じて信号線２を短絡させる部分が同一であるので、受信装置４０の制御部４６は、信号出力部４４によって、発信機識別情報に応じて信号線２を短絡させた状態を維持させる。次に、受信装置４０の無線受信部４３が２機の発信機２０のどちらか一方の火災復旧信号を受信した場合に、これら発信機２０の発信機識別情報に応じた信号線２の短絡状態が同一であるので、受信装置４０の制御部４６は、信号出力部４４によって、信号線２の短絡状態をそのまま維持させる。その後、受信装置４０の無線受信部４３が発信機２０の残りの一方の火災復旧信号を受信した場合に、受信装置４０の制御部４６は、信号出力部４４によって、当該発信機２０の発信機識別情報に応じて信号線２を導通可能な状態に復旧させる。
【００８４】
（試験処理について）
上述した実施の形態では、ＳＦ２において、発信機２０の制御部２７が、無線送信部２３によって試験信号を無線で送信させると説明したが、これに限られない。例えば、複数の発信機２０の試験処理が行われる場合には、発信機２０の火災信号生成部２７ａは発信機識別情報を記憶部２８から取得し、当該取得した発信機識別情報を試験信号に付加し、発信機２０の制御部２７は当該発信機識別情報が付加された試験信号を無線送信部２３によって無線で送信させる。そして、受信装置４０の識別情報取得部４６ａは無線受信部４３から受信した試験信号に含まれる発信機識別情報を取得し、受信装置４０の制御部４６は受信強度測定部４６ｂにて測定された各発信機２０の試験信号の受信強度を当該取得した発信機識別情報と対応づけて表示部４２によって一覧表示させる。これにより、複数の発信機２０の試験処理であっても迅速かつ正確に行うことができる。
【００８５】
（出力電圧低下判定処理について）
上述した実施の形態では、発信機２０の無線送信部２３が出力電圧低下判定信号を送信した場合の出力電圧低下判定処理について説明したが、これに限られず、例えば、感知器１０の無線送信部が出力電圧低下判定信号を送信した場合の出力電圧低下判定処理であってもよい。この場合には、感知器１０は、各々の構成要素に加えて出力電圧検出部と出力電圧判定部とを備えて構成される。
【００８６】
また、複数の発信機２０の出力電圧低下判定処理、又は感知器１０と発信機２０を含めた出力電圧低下判定処理が行われる場合には、発信機２０の火災信号生成部２７ａは発信機識別情報を記憶部２８から取得し、当該取得した発信機識別情報を出力電圧低下信号に付加し、発信機２０の制御部２７は当該発信機識別情報が付加された出力電圧低下信号を無線送信部２３によって無線で送信させる。また、感知器１０の無線送信部も出力電圧低下信号に感知器識別情報を含めて送信する。そして、受信装置４０の識別情報取得部４６ａは無線受信部４３から受信した出力電圧低下信号に含まれる発信機識別情報又は感知器識別情報を取得し、受信装置４０の制御部４６は信号出力部４４によって信号線２を断線させると共に、当該取得した発信機識別情報又は感知器識別情報を表示部４２によって表示させる。これにより、複数の発信機２０の出力電圧低下判定処理、又は感知器１０と発信機２０を含めた出力電圧低下判定処理であっても、迅速かつ正確に行うことができる。
【００８７】
（第１の付記）
第１の付記１の発信機は、火災を報知する火災信号を送信する発信機であって、ユーザによる前記火災信号の送信指示を受け付ける操作手段と、前記操作手段がユーザから前記火災信号の送信指示を受け付けた場合には、前記火災信号を無線にて送信する無線送信手段とを備える。
【００８８】
また、第１の付記２の発信機は、第１の付記１に記載の発信機において、当該発信機を識別するための識別情報を格納する識別情報格納手段と、前記操作手段がユーザから前記火災信号の送信指示を受け付けた場合に、前記識別情報を前記識別情報格納手段から取得し、当該取得した前記識別情報を前記火災信号に付加する火災信号生成手段と、を備え、前記無線送信手段は、前記火災信号生成手段にて前記識別情報が付加された火災信号を無線にて送信する。
【００８９】
また、第１の付記３の発信機は、第１の付記１又は２に記載の発信機において、前記無線送信手段は、前記操作手段がユーザから前記火災信号の送信指示を受け付けた場合に、前記火災信号を所定時間ごとに無線にて繰り返し送信する。
【００９０】
また、第１の付記４の発信機は、第１の付記１から３のいずれか一項に記載の発信機において、前記発信機は火災復旧を報知する火災復旧信号を送信するものであって、前記操作手段がユーザから前記火災信号の送信指示を受け付けた状態を維持しながら、前記無線送信手段が前記火災信号を無線にて送信している場合において、前記操作手段がユーザによって前記火災信号の送信指示を受け付ける前の状態に復旧された場合には、前記無線送信手段は当該火災信号の送信を停止すると共に、前記火災復旧信号を無線にて送信する。
【００９１】
また、第１の付記５の発信機は、第１の付記１から４のいずれか一項に記載の発信機において、前記発信機は自己から送信される信号の送信状況を確認するための試験信号を送信するものであって、ユーザによる前記試験信号の送信指示を受け付ける試験操作手段を備え、前記無線送信手段は、前記試験操作手段がユーザから前記試験信号の送信指示を受け付けた場合に、前記試験信号を無線にて送信する。
【００９２】
また、第１の付記６の発信機は、第１の付記５に記載の発信機において、前記試験操作手段がユーザから前記試験信号の送信指示を受け付けた場合に、その旨を表示する表示手段を備える。
【００９３】
また、第１の付記７の発信機は、第１の付記１から６のいずれか一項に記載の発信機において、前記発信機は電力を供給するための電池を備えたものであり、かつ前記電池の出力電圧低下を報知するための出力電圧低下信号を送信するものであって、前記電池の出力電圧を検出する出力電圧検出手段と、前記出力電圧検出手段にて検出された出力電圧が所定電圧よりも低いか否かを判定する出力電圧判定手段と、を備え、前記無線送信手段は、前記出力電圧判定手段にて前記電池の出力電圧が所定電圧よりも低いと判定された場合に、前記出力電圧低下信号を送信する。
【００９４】
また、第１の付記８の火災報知システムは、監視領域における火災を検知して警報を行う火災報知システムであって、火災を報知する火災信号を送信する発信機と、前記発信機から受信した火災信号を受信機に中継する受信装置と、を備え、前記発信機は、ユーザによる前記火災信号の送信指示を受け付ける操作手段と、前記操作手段がユーザから前記火災信号の送信指示を受け付けた場合に、前記火災信号を無線にて送信する無線送信手段と、を備え、前記受信装置は、前記発信機から受信した信号を前記受信機に移報するための移報手段と、前記発信機から前記火災信号を受信した場合に、当該受信した火災信号の前記受信機に対する移報を前記移報手段によって行わせる制御手段と、を備える。
【００９５】
また、第１の付記９の火災報知システムは、第１の付記８に記載の火災報知システムにおいて、前記発信機は、自己から送信される信号の送信状況を確認するための試験信号を送信するものであって、ユーザによる前記試験信号の送信指示を受け付ける試験操作手段を備え、前記試験操作手段がユーザから前記試験信号の送信指示を受け付けた場合に、前記無線送信手段が前記試験信号を無線にて送信し、前記受信装置は、前記発信機から受信した試験信号の受信強度を測定する受信強度測定手段と、前記受信強度測定手段にて測定された受信強度を表示する表示手段を備え、前記発信機から前記試験信号を受信した場合に、前記受信強度測定手段が当該受信した試験信号の受信強度を測定し、前記制御部が当該測定した受信強度を前記表示手段によって表示させる。
【００９６】
（第１の付記の効果）
第１の付記１に記載の発信機によれば、発信機は、ユーザによる火災信号の送信指示を受け付ける操作手段と、この操作手段がユーザから火災信号の送信指示を受け付けた場合には、火災信号を無線にて送信する無線送信手段とを備えるので、信号線がなくても他の機器に火災信号を送信することができ、有線式の発信機と比べて設置コスト及び設置の手間を低減することができる。
【００９７】
また、第１の付記２に記載の発信機によれば、無線送信手段は、火災信号生成手段にて発信機識別情報が付加された火災信号を無線にて送信するので、受信装置又は受信機側に火災信号を送信した個別の感知器を識別できるかたちで火災状態を表示する機能があれば、発信機の火災信号であることを容易に識別でき、火災の位置を容易に特定することができる。
【００９８】
また、第１の付記３に記載の発信機によれば、無線送信手段は、操作手段がユーザから火災信号の送信指示を受け付けた場合に、火災信号を所定時間ごとに無線にて繰り返し送信するので、他の機器に火災信号の受信の確実性を向上させることができ、有線式の発信機と同等の通信の安定性を確保することができる。
【００９９】
また、第１の付記４に記載の発信機によれば、操作手段がユーザから火災信号の送信指示を受け付けた状態を維持しながら、無線送信手段が火災信号を無線にて送信している場合において、操作手段がユーザによって火災信号の送信指示を受け付ける前の状態に復旧された場合には、無線送信手段は当該火災信号の送信を停止すると共に、火災復旧信号を無線にて送信するので、信号線がなくても他の機器に火災復旧信号を送信することができ、有線式の発信機と比べて設置コスト及び設置の手間を一層低減することができる。
【０１００】
また、第１の付記５に記載の発信機によれば、無線送信手段は、試験操作手段がユーザから試験信号の送信指示を受け付けた場合に、試験信号を無線にて送信するので、試験信号を用いて発信機から送信される信号の送信状況を確認することができ、有線式の発信機と同等の通信の安定性を一層確保することができる。
【０１０１】
また、第１の付記６に記載の発信機によれば、試験操作手段がユーザから試験信号の送信指示を受け付けた場合に、表示手段がその旨を表示するので、ユーザに対して試験信号が送信されていることを提示することができ、発信機が試験処理を行っていることを容易に識別することができる。
【０１０２】
また、第１の付記７に記載の発信機によれば、無線送信手段は、出力電圧判定手段にて電池の出力電圧が所定電圧よりも低いと判定された場合に、出力電圧低下信号を送信するので、ユーザに対して電池の出力電圧が低下したことを報知することができ、例えば、その報知があった後にユーザが電池のメンテナンスを行うようにすることで、有線式の発信機と同等の通信の安定性をさらに一層確保することができる。
【０１０３】
また、第１の付記８に記載の火災報知システムによれば、火災報知システムは、発信機と受信装置とを備えて構成され、このうち発信機は、ユーザによる火災信号の送信指示を受け付ける操作手段と、操作手段がユーザから火災信号の送信指示を受け付けた場合に、火災信号を無線にて送信する無線送信手段と、を備え、受信装置は、発信機から受信した信号を受信機に移報するための移報手段と、発信機から火災信号を受信した場合に、当該受信した火災信号の受信機に対する移報を移報手段によって行わせる制御手段と、を備えるので、受信装置が発信機から火災信号を無線で受信して、当該受信した火災信号の受信機に対する移報を行うことができ、有線式の発信機を備えて構成される火災報知システムと比べて設置コスト及び設置の手間を低減することができる。
【０１０４】
また、第１の付記９に記載の火災報知システムによれば、発信機から試験信号を受信した場合に、受信装置の受信強度測定手段が当該受信した試験信号の受信強度を測定し、制御手段が当該測定した受信強度を表示手段によって表示させるので、試験信号の受信強度に基づいて、発信機から送信される信号の送信状況をユーザに提示することができ、この送信状況に基づいて十分な強度で電波が届く設置環境となる設置位置をユーザが選ぶことができるため、有線式の発信機と同等の通信の安定性を確保することができる。また、受信装置の制御手段が、移報手段によって受信機に対して試験信号の移報を行わせないので、受信機が試験信号を受信しないようにすることができ、試験処理時に受信機において火災警報等が誤って発せられることを防止することができる。
（第２の付記）
第２の付記１の受信装置は、受信機に対して複数の信号線を介して接続されている受信装置であって、火災を報知するために第１火災報知端末が送信する第１火災信号、又は、火災を報知するために前記第１火災報知端末とは異なる第２火災報知端末が送信する第２火災信号を無線にて受信する無線受信手段と、前記第１火災信号を前記無線受信手段が受信した場合、前記第１火災信号の移報を前記受信機に対して行うべく、前記複数の信号線の接続状態を第１接続状態とし、前記第２火災信号を前記無線受信手段が受信した場合、前記第２火災信号の移報を前記受信機に対して行うべく、前記複数の信号線の接続状態を前記第１接続状態とは異なる第２接続状態とする制御手段と、を備える。
また、第２の付記２の受信装置は、第２の付記１に記載の受信装置において、前記制御手段は、前記第１火災信号のみを前記無線受信手段が受信した場合、前記複数の信号線の接続状態を前記第１接続状態とし、この後、前記第１火災信号を前記無線受信手段が受信し続けている間において更に前記第２火災信号を前記無線受信手段が受信した場合、前記複数の信号線の接続状態を前記第１接続状態に替えて前記第２接続状態とする。
また、第２の付記３の受信装置は、第２の付記２に記載の受信装置において、前記無線受信手段は、火災からの復旧を報知するために前記第２火災報知端末が送信する火災復旧信号を更に受信し、前記制御手段は、前記第１火災信号を前記無線受信手段が受信し続けている間において更に前記第２火災信号を前記無線受信手段が受信した後であって、前記第１火災信号を前記無線受信手段が未だ受信し続けている間に、前記火災復旧信号を前記第２火災信号に替えて前記無線受信手段が受信した場合、前記複数の信号線の接続状態を前記第２接続状態に替えて前記第１接続状態とする。
また、第２の付記４の受信装置は、第２の付記２又は３に記載の受信装置において、前記複数の信号線は、第１〜第３信号線を有し、前記第１接続状態は、前記第１信号線と前記第２信号線とが短絡しており、且つ、前記第３信号線と前記第１及び第２信号線とが開放されている接続状態であり、前記第２接続状態は、前記第１信号線と前記第２信号線とが短絡しており、且つ、前記第２信号線と前記第３信号線とが短絡している接続状態である。
【符号の説明】
【０１０５】
１  火災報知システム
２、１０２  信号線
２ａ、１０２ａ  Ａ線
２ａ１  Ａ線出力端子
２ａ２  Ａ線入力端子
２ｂ、１０２ｂ  Ｃ線
２ｂ１  Ｃ線出力端子
２ｂ２  Ｃ線入力端子
２ｃ、１０２ｃ  Ｌ線
２ｃ１  Ｌ線出力端子
２ｃ２  Ｌ線入力端子
２ｄ  Ａ−Ｃ線
２ｅ  Ｌ−Ｃ線
２ｆ、２ｇ、２ｈ  リレー
３  電源線
１０  感知器
２０、１３０  発信機
２１  押しボタン部
２２  テストスイッチ部
２３  無線送信部
２４、３２、４２  表示部
２５、３４  電源部
２６  出力電圧検出部
２７、３５、４６  制御部
２７ａ  火災信号生成部
２７ｂ  出力電圧判定部
２８、３６、４７  記憶部
３０  中継装置
３１、４１  操作部
３３  無線通信部
４０、１４０  受信装置
４３  無線受信部
４４  信号出力部
４４ａ  Ａ−Ｃ出力部
４４ｂ  Ｌ−Ｃ出力部
４５  電源回路部
４６ａ  識別情報取得部
４６ｂ  受信強度測定部
４７ａ  移報方法テーブル
５０、１５０  受信機
１０１  防災システム
１１０  有線式感知器
１２０  無線式感知器
【図１】
0005947927.tif 000002
【図２】
0005947927.tif 000003
【図３】
0005947927.tif 000004
【図４】
0005947927.tif 000005
【図５】
0005947927.tif 000006
【図６】
0005947927.tif 000007
【図７】
0005947927.tif 000008
【図８】
0005947927.tif 000009
【図９】
0005947927.tif 000010
【図１０】
0005947927.tif 000011
【図１１】
0005947927.tif 000012
【図１２】
0005947927.tif 000013